(57)【特許請求の範囲】
【請求項１】
電気絶縁性を有する合成樹脂材により成形され、一対の半割り筒体を重ね合わせて形成される筒状本体を有し、前記各半割り筒体はその中心軸線と平行な両側縁に配置される一対の縦杆と両縦杆間に外側へアーチ状に湾曲して差し渡され該一対の縦杆に沿って一定の間隔離して列設される複数の横杆とからなり、前記縦杆の外周面と前記横杆の外周面とにそれぞれ中心軸線から延びる法線方向に沿って先端を尖らせた細長の棒状体を植設してなり、
前記筒状本体における両半割り筒体の各横杆は互いに同じ位置に設けられると共に両半割り筒体におけるそれぞれの横杆間のうち同じ位置で少なくとも１箇所を残して隣り合う横杆間の中央に前記縦杆と平行な副縦杆を差し渡して連結するようにしたことを特徴とする電線用鳥害防止具。
【請求項２】
前記筒状本体における一対の半割り筒体の中心軸線と平行な両側縁に互いに向き合う突片を設けると共に両突片の対向する面に係脱自在に係合する係合部と被係合部をそれぞれ設けた請求項１記載の電線用鳥害防止具。
【請求項３】
前記筒状本体における中心軸線方向の一端部に嵌合凸部を設けると共に他端部に該嵌合凸部が嵌脱自在に嵌合する嵌合凹部を設けた請求項２記載の電線用鳥害防止具。
【発明の詳細な説明】
【技術分野】
【０００１】
本発明は、電柱間に架設される電線や電柱回りの縁回し線に取り付けて鳥害を防止するようにした電線用鳥害防止具に関するものである。
【背景技術】
【０００２】
従来、この種電線用鳥害防止具として例えば特許文献１または特許文献２に示されるようなものがある。これら電線用鳥害防止具は、ポリエチレン樹脂といった電気絶縁性を有する合成樹脂材により成形され、半割り状に形成される一対の半割り筒体の一側縁をヒンジ部により連結して筒状本体が形成される。該筒状本体の外周面であってその中心軸線方向と周方向とに、一定の間隔を離して鳥が留まるのを防ぐため先端が尖った細長の棒状体が突設されている。また、風圧を軽減させると共に軽量化を図りまた内部に入った雨水や塵埃を外部に排出するために、筒状本体はその周壁に多数の透孔が開設されている。これにより、電線用鳥害防止具にあっては、中心軸線と平行であって等間隔に配置される複数本の縦杆と隣り合う縦杆間に差し渡されるアーチ状の横杆とから全体に格子状に形成されることになる。
【先行技術文献】
【特許文献】
【０００３】
【特許文献１】特開平１１−１１３１４４号公報（第３−５頁、図１、図１１）
【特許文献２】特開２０１１−２４４６９号公報（第４−１２、図４、図５、図７）
【発明の概要】
【発明が解決しようとする課題】
【０００４】
ところで、成形に使用されるポリエチレン樹脂が硬いと、前記各棒状体の尖った先端が鋭くなって、鳥が寄って来ても留まらせないという効果は上がり、また、保形性に優れることから型崩れがなく電線にも被着し易く、高所での電線への取付作業が容易になる。通常、これら電線用鳥害防止具の取り付けは電線が活線の状態で作業が行なわれることから、この取付作業には遠隔操作できる被導電性の遠隔操作棒といった間接活線工具が使用される。例えば、電柱の両側に引き寄せられる電線を連結するため該電柱の周囲に配設される縁回し線に電線用鳥害防止具を取り付ける場合、材質的に硬い電線用鳥害防止具にあっては筒状本体が曲がり難いことから、該縁回し線が大きく湾曲していると、該縁回し線に電線用鳥害防止具を取り付け難いという課題が有る。
【０００５】
一方、前記成形に使用されるポリエチレン樹脂が柔らかいと、曲がり易いことから前記のような湾曲した縁回し線にも容易に追随して取り付け易い。しかるに、前記各棒状体の先端も曲がり易く、本来の鋭さが現出できず鳥を留まらせないという効果が下がってしまうことになる。また、中央を支えて電線用鳥害防止具を水平に支持したとき、中心軸線方向の両端側がその荷重により下方へ垂れ下がり、間接活線工具を用い挟んで取り付けるといった作業が行ない難いという課題がある。
【０００６】
このように、電線用鳥害防止具にあって、複数本の縦杆と複数本の横杆とを直交させ筒状本体が格子状に形成されるという点を前提として、本来の鳥害防止機能を維持できるということと湾曲した縁回し線にも容易に取り付けられ取付作業が迅速に行なえるという相反する要求が同時に叶えられる構成が待ち望まれていた。
【０００７】
そこで、本発明は前記要望に鑑みてなされたもので、本来の鳥害防止機能を維持できると同時に湾曲した縁回し線にも容易に取り付けられ、作業性に優れる電線用鳥害防止具を提供することを目的とするものである。
【課題を解決するための手段】
【０００８】
かかる目的を達成するため本発明の電線用鳥害防止具は、電気絶縁性を有する合成樹脂材により成形され、一対の半割り筒体を重ね合わせて形成される筒状本体を有し、前記各半割り筒体はその中心軸線と平行な両側縁に配置される一対の縦杆と両縦杆間に外側へアーチ状に湾曲して差し渡され該一対の縦杆に沿って一定の間隔離して列設される複数の横杆とからなり、前記縦杆の外周面と前記横杆の外周面とにそれぞれ中心軸線から延びる法線方向に沿って先端を尖らせた細長の棒状体を植設してなる。
【０００９】
この際、前記筒状本体における両半割り筒体の各横杆は互いに同じ位置に設けられると共に両半割り筒体におけるそれぞれの横杆間のうち同じ位置で少なくとも１箇所を残して隣り合う横杆間の中央に前記縦杆と平行な副縦杆を差し渡して連結するようにしたことを特徴とする。
【００１０】
また、前記筒状本体における一対の半割り筒体の中心軸線と平行な両側縁に互いに向き合う突片を設けると共に両突片の対向する面に係脱自在に係合する係合部と被係合部をそれぞれ設けるようにすることが好ましい。
【００１１】
更に、前記筒状本体における中心軸線方向の一端部に嵌合凸部を設けると共に他端部に該嵌合凸部が嵌脱自在に嵌合する嵌合凹部を設けるようにすることが好ましい。
【発明の効果】
【００１２】
本発明に係る電線用鳥害防止具は、電気絶縁性を有する合成樹脂材により成形され、一対の半割り筒体を重ね合わせて形成される筒状本体を有し、各半割り筒体はその中心軸線と平行な両側縁に配置される一対の縦杆と両縦杆間に外側へアーチ状に湾曲して差し渡され該一対の縦杆に沿って一定の間隔離して列設される複数の横杆とからなり、縦杆の外周面と横杆の外周面とにそれぞれ中心軸線から延びる法線方向に沿って先端を尖らせた細長の棒状体を植設してなる。このように、一対の縦杆に沿って一定の間隔離して列設される複数の横杆は縦杆以外に支持される部分がなく、各横杆間の空間の間隔を自在に広げたり狭めたりすることができる。これにより、筒状本体が中心軸線と横杆間の中央位置とを含む平面内で屈曲し易くなる。よって、縁回し線といった湾曲する電線にも追随して曲がり、取り付け易くなる。しかも、許容範囲内で筒状本体を最大限の硬質の合成樹脂材により成形できるので、棒状体もしっかりし本来の鳥害防止機能も十分に維持できるという効果を有する。
【００１３】
また、筒状本体における両半割り筒体の各横杆は互いに同じ位置に設けられると共に、両半割り筒体におけるそれぞれの横杆間のうち同じ位置で少なくとも１箇所を残して隣り合う横杆間の中央に縦杆と平行な副縦杆を差し渡して連結するようにしたので、副縦杆により連結される一対の横杆は構造的に強くなり、副縦杆の差し渡されていない横杆間にあっては屈曲性が保たれる。よって、電線用鳥害防止具としてのしっかりした保形性が保たれると同時に適度な屈曲性も確保され、結果、電線用鳥害防止具の取付・取外作業が容易になるばかりか鳥害防止機能も向上するという効果を有する。
【００１４】
更に、筒状本体における一対の半割り筒体の中心軸線と平行な両側縁に互いに向き合う突片を設けると共に両突片の対向する面に係脱自在に係合する係合部と被係合部をそれぞれ設けるようにすれば、電線が活線状態のままで、間接活線工具を使用した遠隔操作により電線用鳥害防止具を電線に取り付けることができ、作業時間の短縮が図られる。
【００１５】
更にまた、筒状本体における中心軸線方向の一端部に嵌合凸部を設けると共に他端部に該嵌合凸部が嵌脱自在に嵌合する嵌合凹部をそれぞれ設けるようにすれば、電線用鳥害防止具が所望の長さに連結でき、電線の必要個所に過不足なく取り付けることができる。
【図面の簡単な説明】
【００１６】
【図１】本発明に係る電線用鳥害防止具の斜視図。
【図２】同電線用鳥害防止具の分解斜視図。
【図３】同電線用鳥害防止具の正面図。
【図４】（イ）は図３のＸ−Ｘ線断面図、（ロ）は図３のＹ−Ｙ線断面図。
【図５】本発明に係る電線用鳥害防止具の連結状態を示す一部正面断面図。
【図６】同電線用鳥害防止具の取付状態を示す斜視図。
【図７】他の実施の形態に係る電線用鳥害防止具の斜視図。
【図８】同電線用鳥害防止具の正面図。
【図９】図８のＺ−Ｚ線断面図。
【発明を実施するための形態】
【００１７】
以下、本発明に係る電線用鳥害防止具の最良の実施の形態を図面に基づき詳しく説明する。なお、図７乃至図９に示すものが請求項に係る発明を実施するための形態に相当し、図１乃至図６に示す電線用鳥害防止具は、参考形態に相当する。
図１は本発明に係る電線用鳥害防止具の斜視図、図２は同電線用鳥害防止具の分解斜視図、図３は同電線用鳥害防止具の正面図である。本発明に係る電線用鳥害防止具Ａ１は、難燃性のポリエチレン樹脂材により成形され、しかも、カーボンが含有され比較的硬質であって不透明である。そして、該電線用鳥害防止具Ａ１は、一対の半割り筒体１ａ，１ｂを重ね合わせて形成される筒状本体１を有する。該筒状本体１は、所定の長さと所定の外径を有すると共に中心軸線Ｏ方向の両端が開放する直管状に形成される。
【００１８】
前記筒状本体１における各半割り筒体１ａ，１ｂは、図２に示すように筒状本体１の中心軸線Ｏに沿った両側縁に該中心軸線Ｏと平行な一対の縦杆２ａ，２ｂが配置される。そして、両縦杆２ａ，２ｂの間に一体に形成されるようにして差し渡され外側へアーチ状に湾曲する横杆３が、両縦杆２ａ，２ｂの長手方向に沿って等間隔に列設されている。これにより、両半割り筒体１ａ，１ｂの開放側を重ね合わせると筒状本体１が形成され、互いの半割り筒体１ａ，１ｂにあっては、横杆３，３間の幅が同じであり、しかも、両半割り筒体１ａ，１ｂでは互いの横杆３と横杆３との位置が一致することになる。
【００１９】
前記一方の半割り筒体１ａにあっては、一方の縦杆２ａの外周面と横杆３の外周面とにそれぞれ先端の尖った細長の棒状体４が一体に形成される。また、前記他方の半割り筒体１ｂにあっては、前記一方の半割り筒体１ａにおける他方の縦杆２ｂと接する縦杆２ａの外周面と横杆３の外周面とに、それぞれ先端の尖った細長の棒状体４が一体に形成される。この場合、各縦杆２ａ，２ａにおける棒状体４は総て横杆３と同位置に設けられ、両半割り筒体１ａ，１ｂについては横杆３の間隔が同じである。これにより、筒状本体１における両半割り筒体１ａ，１ｂの横杆３の位置は同じとなり、しかも、縦杆２ａ，２ａの外周面や横杆３の外周面に設けられた各棒状体４は、筒状本体１の中心軸線Ｏから延設される法線にほぼ沿って設けられる。よって、例えば中心軸線Ｏに直交しかつ横杆３を含む面では、図４（イ）に示すように４本の棒状体４が十文字状に配置されることになる。
【００２０】
前記筒状本体１にあってその中心軸線Ｏ方向の一端部に筒状本体１よりも太径の環状凸部５が設けられ、中心軸線Ｏ方向の他端部に該環状凸部５が嵌脱自在に嵌る環状凹部６が設けられている。環状凹部６は横断面がコ字状に形成され、コ字状溝７に嵌った環状凸部５は、図５に示すように半割り筒体１ａ，１ｂを開かない限り該コ字状溝７から抜け出ないようになっている。これら環状凸部５と環状凹部６とは、各半割り筒体１ａ，１ｂに合わせてそれぞれ半裁されている。
【００２１】
各半割り筒体１ａ，１ｂの各縦杆２ａ，２ｂと他端の環状凹部６には、中心軸線Ｏに沿ってほぼ等間隔位置に両半割り筒体１ａ，１ｂが重なり筒状本体１を形成したとき互いに対向位置する突片８ａ，８ｂが設けられる。そして、両突片８ａ，８ｂの対向する面であって一方に係合部としての係合片９が突設されると共に、他方に該係合片９が係脱自在に係合する被係合部としての係合孔１０が設けられている。この場合、図４（ロ）に示すように係合片９が設けられた突片８ａは、一方の半割り筒体１ａでは一方の縦杆２ａに設けられ、他方の半割り筒体１ｂではそれとは逆に他方の縦杆２ｂに設けられている。よって、両半割り筒体１ａ，１ｂにあっては、係合片９を設けた突片８ａの位置が逆となる。
【００２２】
この電線用鳥害防止具Ａ１では、隣り合う横杆３，３間の空間１１に何も存在しない。よって、筒状本体１が比較的硬い合成樹脂材により成形されているとしても、両半割り筒体１ａ，１ｂを重ね筒状本体１を形成したとき、中心軸線Ｏと各横杆３の中央位置とを含む面内では筒状本体１が曲がり易くなっている。
【００２３】
本発明に係る電線用鳥害防止具Ａ１は上記構成からなり、次に電線に対する電線用鳥害防止具Ａ１の取付方法を説明する。この際、電線は活線状態のままである。図６で電柱ａに架設される電線ｂは、端部が碍子ｃを介して腕木ｄに固着されている。そして、電線ｂから分岐される縁回し線ｅが湾曲した状態で連結されている。このように縁回し線ｅが湾曲しているのは、強風時に電線が煽られたり地震時に電線が揺れたりしたとき、縁回し線ｅに長さ的な余裕を持たせることにより、電線ｂが途切れないようにするためである。
【００２４】
そこで、まず、作業者が高所作業車（図示せず。）のバケットに乗り込み、該バケットを作業位置まで上昇させる。電線用鳥害防止具Ａ１は、両半割り筒体１ａ，１ｂにおける一方の重ね合わせ部に設けられた各突片８ａ，８ｂにおける係合片９と係合孔１０との係合を外して対向する縦杆２ａ，２ｂの重ね合わせ部が開かれるようにしておく。このような電線用鳥害防止具Ａ１を図示しない間接活線工具（例えば、非導電性の遠隔操作棒）の先端で挟み重ね合わせ部を介して縁回し線ｅに被せる。このように、突片８ａ，８ｂは間接活線工具により挟着するために利用される。また、この際、縁回し線ｅが湾曲していても、電線用鳥害防止具Ａ１は、筒状本体１が中心軸線Ｏを含んだ平面であって各横杆３の中央と交差する平面内で容易に屈曲し得るので、その縁回し線ｅに追随して簡単に屈曲することになり、電線用鳥害防止具Ａ１が取り付け易い。
【００２５】
また、縁回し線ｅに電線用鳥害防止具Ａ１を被せた後は、間接活線工具により対向する一対の突片８ａ，８ｂを両側から挟んで係合片９を係合孔１０に係合させ、電線用鳥害防止具Ａ１の取付作業を終わる。また、縁回し線ｅでの取付部が長いときは、電線用鳥害防止具Ａ１の中心軸線Ｏ方向の一端の嵌合凸部５を他の電線用鳥害防止具Ａ１の一端の嵌合凹部６に嵌めて、二または三本の電線用鳥害防止具Ａ１を連結させることができる。このようにして、電線用鳥害防止具Ａ１の取付作業を終了する。その後は、高所作業車のバケットを下降させる。これにより、図６に示すように縁回し線ｅに電線用鳥害防止具Ａ１が取り付けられる。
【００２６】
図７乃至図９に示すものは、他の実施の形態に係る電線用鳥害防止具に関するものである。なお、この実施の形態に係る電線用鳥害防止具Ａ２は、本発明に係る電線用鳥害防止具Ａ１と構成がほとんど同じなので、同一部位は同一番号を付すことにより詳しい説明は省略する。他の実施の形態に係る電線用鳥害防止具Ａ２は、筒状本体２０を構成する両半割り筒体２０ａ，２０ｂにおける各横杆３，３間の空間１１ａ〜１１ｍのうち、同じ位置で少なくとも１個所を残して隣り合う横杆３，３間に縦杆２ａ，２ｂと平行な副縦杆２１が差し渡されるようにして連結される。
【００２７】
具体的には、両半割り筒体２０ａ，２０ｂにおいて、互いに同じ位置、すなわち中心軸線Ｏ方向の一端側（環状凸部が設けられた側）から第１乃至３空間１１ａ，１１ｂ，１１ｃ、第５空間１１ｅ、第７乃至９空間１１ｇ，１１ｈ，１１ｉ、第１１空間１１ｋ及び第１３空間１１ｍにおける隣り合う横杆３，３間に、その中央に位置して縦杆２ａ，２ｂと平行な副縦杆２１が差し渡されているように連結されている。逆に言えば、中心軸線Ｏに沿って一端側から第４空間１１ｄ、第６空間１１ｆ、第１０空間１１ｊ及び第１２空間１１ｌの隣り合う横杆３，３間には副縦杆２１が存在しない。よって、それら第４、６、１０、１２空間１１ｄ，１１ｆ，１１ｊ，１１ｌ部位では、筒状本体２０が中心軸線Ｏと横杆３の中央の位置とを含む平面内で屈曲し易くなる。
【００２８】
よって、縁回し線ｅが湾曲していても本実施の形態と同様に電線用鳥害防止具Ａ２が曲がり易く、その縁回し線ｅに容易に取り付けられることになる。このように、副縦杆２１により所定位置で隣り合う横杆３，３間を連結するようにすれば、電線用鳥害防止具Ａ２の保形性に優れると同時に副縦杆２１の存在しない隣り合う横杆３，３間の空間１１が自在に開いたり狭まったりすることから、適度な屈曲性も確保されることになり本来の鳥害防止機能が維持でき、また、湾曲した縁回し線ｅにも容易に取り付けられる。
【００２９】
本発明に係る電線用鳥害防止具Ａ１と他の実施の形態に係る電線用鳥害防止具Ａ２とは副縦杆２１の有無という差が有って、いずれも本発明の目的を達成することはできる。ただ、他の実施の形態に係る電線用鳥害防止具Ａ２のように副縦杆２１を設けた方がしっかりして、間接活線工具でも掴み易く作業がし易い。
【００３０】
他の実施の形態に係る電線用鳥害防止具Ａ２にあって、副縦杆２１の存在しない空間１１は、この実施の形態で示した位置に限定されるものではなく、電線用鳥害防止具Ａ２の硬さを考慮して適宜設定される。そこで、許容範囲内であれば、他の空間１１に変更することも可能である。また、棒状体４を筒状本体１の外周面に該筒状本体１の中心軸線Ｏに直交する面内で十文字状となるように配置したが、他に各棒状体４の先端を結んだ線の輪郭が正五角形、正六角形、正七角形、正八角形またはこれ以外の形でも良い。更に、電線用鳥害防止具Ａ１，Ａ２は、２個一組として使用されるが、これに限らず、３個、４個、５個、６個、又はそれ以上を一組として使用するようにしても良い。なお、本発明に係る電線用鳥害防止具Ａ１や他の実施の形態に係る電線用鳥害防止具Ａ２は、直線的な電線にも取り付け使用できることは勿論である。
【符号の説明】
【００３１】
１              筒状本体
１ａ            半割り筒体
１ｂ            半割り筒体
２ａ            縦杆
２ｂ            縦杆
３              横杆
４              棒状体
５              環状凸部
６              環状凹部
８ａ            突片
８ｂ            突片
９              係合部（係合片）
１０            被係合部（係合孔）
１１            空間
２０            筒状本体
２０ａ          半割り筒体
２０ｂ          半割り筒体
２１            副縦杆
Ａ１            電線用鳥害防止具
Ａ２            電線用鳥害防止具
【図１】
0005797525.tif 000002
【図２】
0005797525.tif 000003
【図３】
0005797525.tif 000004
【図４】
0005797525.tif 000005
【図５】
0005797525.tif 000006
【図６】
0005797525.tif 000007
【図７】
0005797525.tif 000008
【図８】
0005797525.tif 000009
【図９】
0005797525.tif 000010